(57)【特許請求の範囲】
【請求項１】
液晶基板に直接実装する液晶駆動用集積回路であって、
該集積回路を備え、長辺及び短辺を有し、辺の長辺と直交する線で２分される略長方形の集積回路片と、
前記略長方形の集積回路片の一方の片の短辺側に設けられた第１の電源端子群及び第１の信号入力端子群、及び前記略長方形の集積回路片の他方の片の短辺側に設けられた第２の電源端子群及び第２の信号入力端子群とを具備し、
前記第１と第２の電源端子群は集積回路内で相互に接続され、前記第１と第２の信号入力端子群は集積回路内で相互に接続され、
前記第１の電源端子群は長辺に平行な方向に関して前記第１の信号入力端子群より外側に配置され、前記第２の電源端子群は同じく前記第２の信号入力端子群より外側に配置される、液晶駆動用集積回路。
【請求項２】
前記電源端子群は、高電位電源入力端子、低電位電源入力端子、及び中電位電源入力端子を有していることを特徴とする、請求の範囲１に記載の液晶駆動用集積回路。
【請求項３】
液晶基板に直接実装する液晶駆動用集積回路であって、
該集積回路は複数の電源端子群を具備し、
該集積回路を備えた略長方形の集積回路片は,
その長辺に直交する線で２分され、
前記集積回路片の前記一方の片に第１の電源端子群を設け、前記他方の片に、前記集積回路片の長辺に直交する線に関してほぼ対称に、前記第１の電源端子群と同じ構成の第２の電源端子群を設け、
前記第１の電源端子群と第２の電源端子群の間に第３の電源端子群を設け、
前記各端子群は対応する端子同士が接続されている、
ことを特徴とする液晶駆動用集積回路。
【請求項４】
液晶基板に直接実装する液晶駆動用集積回路であって、
該集積回路は複数の電源端子群及び信号入力端子群を具備し、
該集積回路を備えた略長方形の集積回路片は、その長辺に直交する線で２分され、
前記集積回路片の前記一方の片に第１の電源端子群及び第１の信号入力端子群を設け、
前記他方の片に、前記集積回路片の長辺に直交する線に関してほぼ対称に、前記第１の電源端子群及び第１の信号入力端子群と同じ構成の第２の電源端子群及び第２の信号入力端子群を設け、
前記第１の端子群と第２の端子群の間に第３の電源端子群を設け、
前記各端子群は対応するもの同士が接続されている、
ことを特徴とする液晶駆動用集積回路。
【請求項５】
前記第１及び第２の電源端子群は、高電位電源入力端子、低電位電源入力端子、及び中電位電源入力端子を有し、前記第３の電源端子群は中電位電源入力端子を有していることを特徴とする、請求の範囲３又は４に記載の液晶駆動用集積回路。
【請求項６】
前記第１の端子群は前記一方の片の短辺側に配置されており、前記第１の電源端子群は長辺に平行な方向に関して前記第１の信号入力端子群より外側に配置され、前記第２の端子群は前記他方の片の短辺側に配置されており、前記第２の電源端子群は同じく前記第２の信号入力端子群より外側に配置されていることを特徴とする、請求の範囲４に記載の液晶駆動用集積回路。
【請求項７】
前記第１の電源端子群は、前記一方の片の短辺側から入り込む導電体に接続されることを特徴とする、請求の範囲１又は３に記載の液晶駆動用集積回路。
【請求項８】
前記第１の電源端子群及び第１の信号入力端子群は、前記一方の片の短辺から入り込む導電体に接続されることを特徴とする、請求の範囲１又は４に記載の液晶駆動用集積回路。
【請求項９】
前記第１の電源端子群及び第１の信号入力端子群は、前記一方の片の短辺側から入り込む導電体に接続され、前記第２の信号入力端子群は前記第２の電源端子に接続されることを特徴とする、請求の範囲１に記載の液晶駆動用集積回路。
【請求項１０】
前記第１の電源端子群及び第１の信号入力端子群は、前記一方の片の短辺側から入り込む導電体に接続され、前記第２の信号入力端子群は前記第２又は第３の電源端子に接続されることを特徴とする、請求の範囲４に記載の液晶駆動用集積回路。
【請求項１１】
前記第１の電源端子群及び第１の信号入力端子群の一部は,前記一方の片の短辺側から入り込む導電体に接続され、該一方の片の短辺側から入り込む導電体に接続されない前記第１の端子群の電源端子及び信号入力端子に相当する前記第２の端子群の電源端子及び信号入力端子は、前記他方の片の短辺側から入り込む導電体に接続されることを特徴とする、請求の範囲１又は４に記載の液晶駆動用集積回路。
【請求項１２】
前記第３の電源端子群は、前記集積回路片の長辺側から入り込む導電体に接続されていることを特徴とする、請求の範囲３又は４に記載の液晶駆動用集積回路。
【請求項１３】
複数の前記長方形の集積回路片が前記短辺を対向させて配置され、
前記隣接する各集積回路片の対向する各短辺に沿ってそれぞれ設けられた、前記第１電源端子群及び第１の信号入力端子群と、前記第２の電源端子群及び第２の信号入力端子群がそれぞれ接続されていることを特徴とする、請求の範囲１の又は４に記載の液晶駆動用集積回路。
【請求項１４】
前記接続はカスケード電極によって接続されていることを特徴とする、請求の範囲１３に記載の液晶駆動用集積回路。
【発明の詳細な説明】
技術分野
本発明は液晶表示基板上に実装するタイプの液晶駆動用集積回路に関する。
背景技術
液晶表示基板上に液晶駆動用集積回路を実装するタイプの液晶表示装置（チップオングラス型液晶表示装置：以下、「ＣＯＧ型液晶表示装置」と記す）において、液晶駆動用集積回路に電源及び信号を入力するために入力電極をフレキシブル印刷回路（以下「ＦＰＣ」と記す）に接続するための圧着スペースを広く要するという問題を有している。
そのため、液晶駆動用集積回路の入力端子を略長方形の集積回路片の短辺側に配置し、ＦＰＣ圧着スペースを集積回路の短辺側に設け、液晶表示基板上の入力電極から伸びる導電体を短辺側に導いて入力端子に接続する、横出し型のＣＯＧ型液晶表示装置が提案されている。
図１は液晶表示基板７２３上に液晶駆動集積回路７２０が実装されたＣＯＧ型液晶表示装置の入力部分の模式図を示す。
図中、入力電極Ａ７０１は入力端子Ａ７１１を介して液晶駆動集積回路７２０、に信号を入力するための電極であり、入力電極Ｂ７０２は入力端子Ｂ７１２を介して液晶駆動用集積回路７２０に信号を入力するための電極であり、入力電極Ｃ７０３は入力端子Ｃ７１３を介して液晶駆動用集積回路７２０に信号を入力するための電極であり、入力電極Ｄ７０４は入力端子Ｄ７１４を介して液晶駆動用集積回路７２０に信号を入力するための電極であり、入力電極Ｅ７０５は入力端子Ｅ７１５を介して液晶駆動用集積回路７２０に信号を入力するための電極である。
ＶＤＤ電極７０７は高電位電源をＶＤＤ端子７１６を介して液晶駆動用集積回路７２０に電源入力するための電極であり、ＶＳＳ電極７０８は低電位電源をＶＳＳ端子７１７を介して液晶駆動用集積回路７２０に電源入力するための電極であり、ＶＭ電極７０９は中電位電源をＶＭ端子７１８を介して液晶駆動用集積回路７２０に電源入力するための電極である。
ここで、中電位とは高電位電源及び低電位電源とは別に用意されている中間レベルの電位である。出力端子群７２１は液晶を駆動するための出力端子群である。圧着スペース７２４は上記入力電極をＦＰＣに接続するためのスペースである。
上記横出し型液晶駆動用集積回路では液晶駆動用集積回路の短辺に沿って多くの信号端子と電源端子を備えているため、入力電極と電源電極のために引き出す導電体の配置構成が複雑となり、かつスペースが小さいため導電体を細くしなければならない。このため、信号電極や電源電極の抵抗が大きくなり、液晶駆動する際に種々の弊害が生じる。
さらに、横出し型液晶駆動用集積回路を複数用いる場合、用いられる液晶駆動用集積回路の数だけＦＰＣ圧着スペースが必要となる。
発明の開示
本発明の目的は、横出し型液晶駆動用集積回路を使用した液晶表示基板において、電源電極と信号電極のための導電体を引き出す配置構成をシンプルにし、かつ引出し部分の抵抗を低くすることである。
また、本発明の目的は、ＦＰＣ圧着面積を最小限にする電源端子と信号端子の配置構成を提供することである。
上記目的を達成するため、本発明液晶駆動用集積回路は、液晶基板に直接実装する液晶駆動用集積回路であって、該集積回路は複数の電源端子群及び／又は複数の信号入力端子群を具備し、集積回路を備えた略長方形の集積回路片はその長辺に直交する線で２分されている。そして、２分された略長方形の集積回路片の一方の片に第１の電源端子群及び／又は第１の信号入力端子群が設けられ、他方の片に第２の電源端子群及び／又は第２の信号入力端子群が設けられており、第１と第２の電源端子群は相互に接続されている。
そして、前記電源端子群は、高電位電源入力端子、低電位電源入力端子、及び中電位電源入力端子を有している。
さらに、第１の電源端子群及び第１の信号入力端子群は前記集積回路片の一方の片の短辺側に１群となって設けられており、第２の電源端子群及び第２の信号入力端子群は他方の片の短辺側に１群となって設けられており、第１の電源端子群は前記第１の信号入力端子群より外側に配置され、第２の電源端子群は前記第２の信号入力端子群より外側に配置されている。
また、本発明液晶駆動用集積回路は複数の電源端子群及び／又は複数の信号入力端子群を具備し、集積回路を備えた略長方形の集積回路片はその長辺に直交する線で２分されている。そして、集積回路片の一方の片に第１の電源端子群及び／又は第１の信号入力端子群が設けられ、他方の片に第２の電源端子群及び／又は第２の信号入力端子群が設けられており、第１の電源端子群と第２の電源端子群の間に第３の電源端子群が設けられており、各端子群は相互に接続されている、
そして、第１及び第２の電源端子群は、高電位電源入力端子、低電位電源入力端子、及び中電位電源入力端子を有し、第３の電源端子群は中電位電源入力端子を有している。
さらに、第１の端子群は前記一方の片の短辺側に配置されており、第１の電源端子群は前記第１の信号入力端子群より外側に配置され、第２の端子群は前記他方の片の短辺側に配置されており、前記第２の電源端子群は前記第２の信号入力端子群より外側に配置されている。
また、複数の前記略長方形の集積回路片は短辺を対向して配置され、対向する短辺に沿ってそれぞれ設けられた、前記第１の電源端子群及び第１の信号入力端子群と、前記第２の電源端子群及び第２の信号入力端子群がそれぞれ接続されている。
なお、端子群と記すときは、電源端子群及び信号入力端子群を指す。
（作用）
図１に示された従来のＣＧＯ型液晶表示装置の場合、液晶駆動用集積回路の片側の辺のみから入力するので、導電体により入力電極を引き出すために用いるスペースが限られている。そのため、導電体の配置構成が複雑となり、また、引き出す導電体が細くなるため抵抗値も高くなる。それにより、タイミングの微妙な入力信号や電源に悪い影響を及ぼす。そこで、本発明は液晶駆動用集積回路の入力端子を略長方形の集積回路片の両短辺に設けることにより、導電体の複雑な配置構成を改善し、かつ抵抗を軽減するものである。
また、特に低抵抗とする必要のあるＶＭ端子、ＶＤＤ端子、及びＶＳＳ端子を集積回路片の両短辺側に具備することで、集積回路片から引き出し電極までをつなぐＦＰＣ圧着スペースの導電体の距離を短くできる。
すなわち、両短辺に同じ入力端子を設けることにより、片側または両側から自由に導電体を導入できる構成とする。さらに複数の液晶駆動用集積回路を用いる場合、液晶駆動用集積回路間をカスケード電極によって接続することにより、ＦＰＣの電極数を少なくすることができる。
【図面の簡単な説明】
図１は、従来の液晶駆動用集積回路の入力構成を示す図である。
図２は、本発明の液晶駆動用集積回路の実施形態の外形図である。
図３は、本発明の液晶駆動用集積回路の入力構成の実施形態を示す図である。
図４は、本発明の液晶駆動用集積回路の接続端子付き入力構成の実施形態を示す図である。
図５は、本発明の液晶駆動用集積回路の両側入力構成の実施形態を示す図である。
図６は、本発明の液晶駆動用集積回路の入力構成の別の実施形態を示す図である。
図７は、本発明の液晶駆動用集積回路を複数接続した場合の入力構成の実施形態を示す図である。
図８は、本発明の液晶駆動用集積回路の別の実施形態の外形図である。
図９は、本発明の液晶駆動用集積回路の接続端子付き入力構成の実施形態を示す図である。
発明の詳細な説明
以下、本発明の実施の形態を図面を参照して説明する。
（実施の形態１）
図２は本発明による液晶駆動用集積回路１０１の外形の実施形態を示す。図に示すように、集積回路１０１を備えた集積回路片は略長方形であり、短辺と長辺を有している。
図中、ＶＤＤ入力端子１０２は高電位電源用端子であり、ＶＳＳ入力端子１０３は低電位電源用端子であり、ＶＭ入力端子１３０は中電位電源用端子である。
信号Ａ端子１０４は信号Ａを入力するための入力端子であり、信号Ｂ端子１０５は信号Ｂを入力するための入力端子であり、信号Ｃ端子１０６は信号Ｃを入力するための入力端子であり、信号Ｄ端子１０７は信号Ｄを入力するための入力端子であり、信号Ｅ端子１０８は信号Ｅを入力するための入力端子である。
これらの信号入力端子は電源端子より内側の位置に設けられている。また、引き出し導電体の抵抗の影響を軽減する必要のある信号の入力端子を入力辺１２２に近い位置に設けられる。
ＶＤＤ入力端子１１２はＶＤＤ入力端子１０２と同じく高電位電源用端子であり、ＶＳＳ入力端子１１３はＶＳＳ入力端子１０３と同じく低電位電源用端子であり、ＶＭ入力端子１３１はＶＭ入力端子１３０と同じく中電位電源用端子である。
信号Ａ端子１１４は信号Ａ端子１０４と同じく信号Ａを入力するための入力端子であり、信号Ｂ端子１１５は信号Ｂ端子１０５と同じく信号Ｂを入力するための入力端子であり、信号Ｃ端子１１６は信号Ｃ端子１０６と同じく信号Ｃを入力するための入力端子であり、信号Ｄ端子１１７は信号Ｄ端子１０７と同じく信号Ｄを入力するための入力端子であり、信号Ｅ端子１１８は信号Ｅ端子１０８と同じく信号Ｅを入力するための入力端子である。
これらの電源端子および信号入力端子は液晶駆動用集積回路１０１内で導電体によって接続されている。また、集積回路１０１は略長方形の集積回路片の長辺に直交する線１２３で２分されており、これらの端子は線１２３に対してほぼ線対称に配置されている。
出力端子群１２０は液晶駆動のための複数の出力端子であり、出力辺１２５に沿って設けられている。
ＶＭ端子群１２４は中電位電源のための複数の端子であり、入力辺１２２側にＦＰＣ圧着スペースがある場合、入力抵抗を下げるために用いることができる。
（実施の形態２）
図３は図２における本発明の液晶駆動集積回路１０１を搭載した片側横入力型の液晶表示基板２１１を示す。
図中、入力電極Ａ２０１は入力端子Ａ１０４を介して液晶駆動用集積回路１０１に信号を入力するための電極であり、入力電極Ｂ２０２は入力端子Ｂ１０５を介して液晶駆動用集積回路１０１に信号を入力するための電極であり、入力電極Ｃ２０３は入力端子Ｃ１０６を介して液晶駆動用集積回路１０１に信号を入力するための電極であり、入力電極Ｄ２０４は入力端子Ｄ１０７を介して液晶駆動用集積回路１０１に信号を入力するための電極であり、入力電極Ｅ２０５は入力端子Ｅ１０８を介して液晶駆動用集積回路１０１に信号を入力するための電極である。
ＶＤＤ電極２０６はＶＤＤ電源端子１０２を介して液晶駆動用集積回路１０１に電源入力するための電極であり、ＶＳＳ電極２０７はＶＳＳ端子１０３を介して液晶駆動用集積回路１０１に電源入力するための電極であり、ＶＭ電極２０８はＶＭ端子１３０を介して液晶駆動用集積回路１０１に電源入力するための電極である。
圧着スペース２２４は上記入力電極をＦＰＣに接続するためのスペースである。
ここで、ＶＭ電極２０８はＶＭ端子１３０が入力端面２１２に近い位置にあるため、ＦＰＣからの距離が近くなり低抵抗となる。
入力電極Ａ２０１及び入力電極Ｂ２０２は、ＶＭ端子１３０とＶＤＤ端子１０２の間を通りぬけ、液晶駆動集積回路１０１から引き出される。入力電極Ｃ２０３および入力電極Ｄ２０４はＶＤＤ端子１０２とＶＳＳ端子１０３の間を通りぬけ、液晶駆動用集積回路１０１から引き出される。入力電極Ｅ２０５はＶＳＳ端子１０３の横を通りぬけて液晶駆動用集積回路１０１から引き出される。
（実施の形態３）
図４は液晶駆動用集積回路１０１への入力信号であるＢ信号がＶＭ電源に接続され、Ｄ信号がＶＤＤ電源に接続され、Ｅ信号がＶＳＳ電源に接続される場合の液晶表示基板３１１を示す。実施形態である。
図中、入力電極Ａ３０１は入力端子Ａ１０４を介して液晶駆動用集積回路１０１に信号を入力するための電極であり、入力電極Ｃ３０２は入力端子Ｃ１０６を介して液晶駆動用集積回路１０１に信号を入力するための電極である。
入力電極Ａ３０１はＶＭ端子１３０とＶＤＤ端子１０２の間を通りぬけて液晶駆動集積回路１０１から引き出される。入力電極Ｃ３０２はＶＤＤ端子１０２とＶＳＳ端子１０３の間を通りぬけて液晶駆動集積回路１０１から引き出される。
入力電極Ｂ３０３は入力端子Ｂ１１５をＶＭ端子１３１に接続する電極であり、入力電極Ｄ３０４は入力端子Ｄ１１７をＶＤＤ端子１１２に接続する電極であり、入力電極Ｅ３０５は入力端子Ｅ１１８をＶＳＳ端子１１３に接続する電極である。
ＶＤＤ電極３０７はＶＤＤ電源端子１０２を介して液晶駆動用集積回路１０１に電源入力するための電極であり、ＶＳＳ電極３０８はＶＳＳ端子１０３を介して液晶駆動用集積回路１０１に電源入力するための電極であり、ＶＭ電極３０９はＶＭ端子１３０を介して液晶駆動用集積回路１０１に電源入力するための電極である。
圧着スペース３２４は、上記入力電極をＦＰＣに接続するためのスペースである。
ここで、信号入力領域３２０から引き出さなければならない電極は５本と少なく、設定される端子が信号設定領域３２１にあるので、信号引き出しによる弊害が生じず電極を太くできる。
（実施の形態４）
図５は図２における本発明の液晶駆動集積回路１０１を搭載した両側横入力型の液晶表示基板４１１を示す。
図中、入力電極Ａ４０１は入力端子Ａ１１４を介して液晶駆動用集積回路１０１に信号を入力するための電極であり、入力電極Ｂ４０２は入力端子Ｂ１０５を介して液晶駆動用集積回路１０１に信号を入力するための電極であり、入力電極Ｃ４０３は入力端子Ｃ１１６を介して液晶駆動用集積回路１０１に信号を入力するための電極であり、入力電極Ｄ４０４は入力端子Ｄ１０７を介して液晶駆動用集積回路１０１に信号を入力するための電極であり、入力電極Ｅ４０５は入力端子Ｅ１１８を介して液晶駆動用集積回路１０１に信号を入力するための電極である。
ＶＤＤ電極４０６は、ＶＤＤ電源端子１１２を介して液晶駆動用集積回路１０１に電源入力するための電極であり、ＶＳＳ電極４０７はＶＳＳ端子１０３を介して液晶駆動用集積回路１０１に電源入力するための電極であり、ＶＭ電極４０８はＶＭ端子１３０を介して液晶駆動用集積回路１０１に電源入力するための電極である。
入力電極Ｂ４０２はＶＭ端子１３０とＶＤＤ端子１０２の間を通りぬけて液晶駆動用集積回路１０１から引き出され、入力電極Ｄ４０４はＶＤＤ端子１０２とＶＳＳ端子１０３の間を通りぬけて液晶駆動集積回路１０１から引き出される。
入力電極Ａ４０１はＶＭ端子１３１の横を通りぬけて液晶駆動用集積回路１０１から引き出され、入力電極Ｃ４０３はＶＤＤ端子１１２とＶＳＳ端子１１３の間を通りぬけて液晶駆動用集積回路１０１から引き出され、入力電極Ｅ４０５はＶＳＳ端子１１３の横を通りぬけて液晶駆動用集積回路１０１から引き出される。
第１圧着スペース４２４および第２圧着スペース４２５は上記入力電極をＦＰＣに接続するためのスペースである。
ここで、信号入力領域４２０、４２１から引き出さなければならない電極は液晶駆動集積回路１０１の両側から引出すので各４本と少なく、信号引き出しによる弊害が生じず電極を太くできる。
（実施の形態５）
図６は図２における本発明の液晶駆動集積回路１０１を搭載した通常入力型の、液晶表示基板５１１を示す。
図中、入力電極Ａ５０１は入力端子Ａ１１４を介して液晶駆動用集積回路１０１に信号を入力するための電極であり、入力電極Ｂ５０２は入力端子Ｂ１０５を介して液晶駆動用集積回路１０１に信号を入力するための電極であり、入力電極Ｃ５０３は入力端子Ｃ１１６を介して液晶駆動用集積回路１０１に信号を入力するための電極であり、入力電極Ｄ５０４は入力端子Ｄ１０７を介して液晶駆動用集積回路１０１に信号を入力するための電極であり、入力電極Ｅ５０５は入力端子Ｅ１１８を介して液晶駆動用集積回路１０１に信号を入力するための電極である。
ＶＤＤ電極５０６は、ＶＤＤ電源端子１１２を介して液晶駆動用集積回路１０１に電源入力するための電極であり、ＶＳＳ電極５０７はＶＳＳ端子１０３を介して液晶駆動用集積回路１０１に電源入力するための電極であり、ＶＭ電極５０８はＶＭ端子群１２４を介して液晶駆動用集積回路１０１に電源入力するための電極である。
圧着スペース５２４は上記入力電極をＦＰＣに接続するためのスペースである。ここで、ＶＭ電極５０８は幅広い電極となるのでＶＭ電源は低抵抗で集積回路１０１に入力される。
（実施の形態６）
図７は図２における本発明の液晶駆動集積回路１０１と第２の液晶駆動用集積回路６００を搭載し、カスケード接続した横出し入力型の液晶表示基板６１１を示す。
図中、入力電極Ａ６０１は入力端子Ａ１０４を介して液晶駆動用集積回路１０１に信号を入力するための電極であり、入力電極Ｂ６０２は入力端子Ｂ１０５を介して液晶駆動用集積回路１０１に信号を入力するための電極であり、入力電極Ｃ６０３は入力端子Ｃ１０６を介して液晶駆動用集積回路１０１に信号を入力するための電極であり、入力電極Ｄ６０４は入力端子Ｄ１０７を介して液晶駆動用集積回路１０１に信号を入力するための電極であり、入力電極Ｅ６０５は入力端子Ｅ１０８を介して液晶駆動用集積回路１０１に信号を入力するための電極である。
カスケード電極Ａ６２１は液晶駆動用集積回路１０１に備えられた信号Ａ端子１１４と液晶駆動用集積回路６００に備えられた信号Ａ端子６１４を接続する電極である。カスケード電極Ｂ６２２は液晶駆動用集積回路１０１に備えられた信号Ｂ端子１１５と液晶駆動用集積回路６００に備えられた信号Ｂ端子６１５を接続する電極である。
また、カスケード電極Ｃ６２３は液晶駆動用集積回路１０１に備えられた信号Ｃ端子１１６と液晶駆動用集積回路６００に備えられた信号Ｃ端子６１６を接続する電極である。カスケード電極Ｄ６２４は液晶駆動用集積回路１０１に備えられた信号Ｄ端子１１７と液晶駆動用集積回路６００に備えられた信号Ｄ端子６１７を接続する電極である。カスケード電極Ｅ６２５は液晶駆動用集積回路１０１に備えられた信号Ｅ端子１１８と液晶駆動集用積回路６００に備えられた信号Ｅ端子６１８を接続する電極である。
ＶＤＤ電極６０７は、ＶＤＤ電源端子１０２を介して液晶駆動用集積回路１０１に電源入力するための電極であり、ＶＳＳ電極６０８はＶＳＳ端子１０３を介して液晶駆動用集積回路１０１に電源入力するための電極であり、ＶＭ電極６０９はＶＭ端子１３０を介して液晶駆動用集積回路１０１に電源入力するための電極である。
カスケードＶＤＤ電極６２７は液晶駆動用集積回路１０１に備えられたＶＤＤ端子１１２と液晶駆動用集積回路６００に備えられたＶＤＤ端子６１２を接続する電極である。カスケードＶＳＳ電極６２８は液晶駆動用集積回路１０１に備えられたＶＳＳ端子１１３と液晶駆動用集積回路６００に備えられたＶＳＳ端子６１３を接続する電極である。カスケードＶＭ電極６２９は液晶駆動用集積回路１０１に備えられたＶＭ端子１３１と液晶駆動用集積回路６００に備えられたＶＭ端子６３１を接続する電極である。
圧着スペース６２４は、上記入力電極をＦＰＣに接続するためのスペースである。
信号Ａは信号Ａ電極６０１、信号Ａ端子１０４、液晶駆動用集積回路１０１内の導電体、信号Ａ端子１１４、カスケード電極Ａ６２１、及び信号Ａ端子６１４を介して液晶駆動集積回路６００に入力される。
信号Ｂは信号Ｂ電極６０２、信号Ｂ端子１０５、液晶駆動用集積回路１０１内の導電体、信号Ｂ端子１１５、カスケード電極Ｂ６２２、及び信号Ｂ端子６１５を介して液晶駆動集積回路６００に入力される。
信号ＣはＦＰＣから信号Ｃ電極６０３、信号Ｃ端子１０６、液晶駆動集積回路１０１内の導伝素子、信号Ｃ端子１１６、カスケード電極Ｃ６２３、及び信号Ｃ端子６１６を介して液晶駆動集積回路６００に入力される。
信号Ｄは信号Ｄ電極６０４、信号Ｄ端子１０７、液晶駆動用集積回路１０１内の導電体、信号Ｄ端子１１７、カスケード電極Ｄ６２４、及び信号Ｄ端子６１７を介して液晶駆動用集積回路６００に入力される。
信号Ｅは信号Ｅ電極６０５、信号Ｅ端子１０８、液晶駆動用集積回路１０１内の導電体、信号Ｅ端子１１８、カスケード電極Ｅ６２５、及び信号Ｅ端子６１８を介して液晶駆動集積回路６００に入力される
ＶＤＤ電源はＶＤＤ電極６０７、ＶＤＤ端子１０２、液晶駆動用集積回路１０１内の導電体、ＶＤＤ端子１１２、カスケードＶＤＤ電極６２７、及びＶＤＤ入力端子６１２を介して液晶駆動用集積回路６００に入力される。
ＶＳＳ電源はＶＳＳ電極６０８、ＶＳＳ端子１０３、液晶駆動用集積回路１０１内の導電体、ＶＳＳ端子１１３、カスケードＶＳＳ電極６２８、及びＶＳＳ端子６１３を介して液晶駆動用集積回路６００に入力される。
ＶＭ電源はＶＭ電極６０９、ＶＭ端子１３０、液晶駆動用集積回路１０１内の導電体、ＶＭ端子１３１、カスケードＶＭ電極６２９、及びＶＭ入力端子６３１を介して液晶駆動用集積回路６００に入力される。
すなわち、液晶駆動集積回路１０１の片側横入力するだけで、複数の液晶駆動集積回路を駆動することが可能である。
（実施の形態７）
図８は本発明による別の実施形態の液晶駆動用集積回路８０１の外形図を示したものである。この実施形態においては、入力端子は略長方形の集積回路片の長辺に沿って配置されている。図中、ＶＤＤ端子８０２は高電位電源用端子であり、ＶＳＳ端子８０３は低電位電源用端子であり、ＶＭ端子８３０は中電位電源用端子である。
信号Ａ端子８０４は信号Ａを入力するための入力端子であり、信号Ｂ端子８０５は信号Ｂを入力するための入力端子であり、信号Ｃ端子８０６は信号Ｃを入力するための入力端子であり、信号Ｄ端子８０７は信号Ｄを入力するための入力端子であり、信号Ｅ端子８０８は信号Ｅを入力するための入力端子である。
これらの信号入力端子は電源端子の内側に設けられており、引き出し導電体の抵抗の影響を軽減する必要のある信号の入力端子を、液晶駆動用集積回路８０１の短辺に近い位置に設けてある。
ＶＤＤ端子８１２はＶＤＤ端子８０２と同じく高電位電源用端子であり、ＶＳＳ端子８１３はＶＳＳ端子８０３と同じく低電位電源用端子であり、ＶＭ端子８３１はＶＭ端子８３０と同じく中電位電源用端子である。
信号Ａ端子８１４は信号Ａ端子８０４と同じく信号Ａを入力するための入力端子であり、信号Ｂ端子８１５は信号Ｂ端子８０５と同じく信号Ｂを入力するための入力端子であり、信号Ｃ端子８１６は信号Ｃ端子８０６と同じく信号Ｃを入力するための入力端子であり、信号Ｄ端子８１７は信号Ｄ端子８０７と同じく信号Ｄを入力するための入力端子であり、信号Ｅ端子８１８は信号Ｅ端子８０８と同じく信号Ｅを入力するための入力端子である。
これらの電源端子および信号入力端子は液晶駆動用集積回路８０１内で導電体によって接続されている。また、集積回路片８０１は略長方形の集積回路片の長辺に直交する線８２３で２分されており、端子群は線８２３に対してほぼ線対称に配置されている。
出力端子群８２０は液晶駆動のための複数の出力端子であり、出力辺８２５に沿って設けられている。
ＶＭ端子群８２４は中電位電源のための複数の端子であり、入力辺８２２側にＦＰＣ圧着スペースがある場合、入力抵抗を下げるために用いることができる。
（実施の形態８）
図９は液晶駆動用集積回路８０１への入力信号であるＢ信号がＶＭ電源に接続され、Ｄ信号がＶＤＤ電源に接続され、Ｅ信号がＶＳＳ電源に接続される場合の液晶表示基板９１１を示す。
図中、入力電極Ａ９０１は入力端子Ａ８０４を介して液晶駆動用集積回路８０１に信号を入力するための電極であり、入力電極Ｃ９０２は入力端子Ｃ８０６を介して液晶駆動用集積回路８０１に信号を入力するための電極である。
入力電極Ａ９０１は圧着スペース９２４から液晶駆動集積回路８０１の短辺を通過して信号Ａ端子８０４に接続される。入力電極Ｃ９０２は圧着スペース９２４から液晶駆動用集積回路８０１の短辺を通過して信号Ｃ端子８０６に接続される。
入力電極Ｂ９０３は入力端子Ｂ８０５をＶＭ端子群８２４に接続する電極である．入力電極Ｄ９０４は入力端子Ｄ８１７をＶＤＤ端子８１２に接続する電極である。入力電極Ｅ９０５は入力端子Ｅ８１８をＶＳＳ端子８１３に接続する電極である。
ＶＤＤ電極９０７はＶＤＤ電源端子８０２を介して液晶駆動用集積回路８０１に電源入力するための電極である。ＶＳＳ電極９０８はＶＳＳ電源端子８０３を介して液晶駆動用集積回路８０１に電源入力するための電極である。ＶＭ電極９０９はＶＭ端子８３０を介して液晶駆動用集積回路８０１に電源入力するための電極である。
圧着スペース９２４は上記入力電極ＦＰＣに接続するためのスペースである。
ここで、信号入力領域である圧着スペース９２４から引き出さなければならない電極は５本と少なく、接続のための端子が信号設定領域９２１にあるので信号引き出しによる弊害が生じず電極を太くできる。
集積回路８０１は、集積回路１０１に関する実施形態１〜６に適用可能である。
【図１】
0003838669.tif 000002
【図２】
0003838669.tif 000003
【図３】
0003838669.tif 000004
【図４】
0003838669.tif 000005
【図５】
0003838669.tif 000006
【図６】
0003838669.tif 000007
【図７】
0003838669.tif 000008
【図８】
0003838669.tif 000009
【図９】
0003838669.tif 000010
0003838669.tif 000011
0003838669.tif 000012